(57)【要約】【課題】除湿した第１空気と加湿した第２空気との一方を室内へ供給して他方を室外へ排出する調湿装置において、装置全体をコンパクトにして設置しやすいものとする。【解決手段】箱状のケーシング（11）内に、吸着剤を担持する第１及び第２熱交換器（61,62）が接続されて冷凍サイクルを行うと共に冷媒循環方向が反転可能な冷媒回路（60）と、給気ファン（25）及び排気ファン（26）と、上記熱交換器（61,62）のうち蒸発器となっている方を第１空気が通過して凝縮器となっている方を第２空気が通過するように、ケーシング（11）内での空気の流通経路を冷媒回路（60）での冷媒循環方向に応じて切り換える切換機構とを設ける。ケーシング（11）の内部のファン側側板（13）に沿った第１空間（17）に給気ファン（25）及び排気ファン（26）を設け、残りの第２空間（18）に第１及び第２熱交換器（61,62）と切換機構とを設ける。【選択図】図２
2005291506.tif 000002
【特許請求の範囲】
【請求項１】
除湿した第１空気と加湿した第２空気との一方を室内へ供給して他方を室外へ排出する調湿装置であって、
吸着剤を担持する第１及び第２熱交換器（61,62）が接続されて冷凍サイクルを行うと共に冷媒循環方向が反転可能な冷媒回路（60）と、
内部に上記冷媒回路（60）が設置される箱状のケーシング（11）と、
上記ケーシング（11）内に設置された給気ファン（25）及び排気ファン（26）と、
上記熱交換器（61,62）のうち蒸発器となっている方を第１空気が通過して凝縮器となっている方を第２空気が通過するように、上記ケーシング（11）内での空気の流通経路を上記冷媒回路（60）での冷媒循環方向に応じて切り換える切換機構とを備える一方、
上記ケーシング（11）の内部空間は、該ケーシング（11）の側板の１つであるファン側側板（13）に沿った第１空間（17）と残りの第２空間（18）とに区画され、
上記第１空間（17）に給気ファン（25）及び排気ファン（26）が、上記第２空間（18）に第１及び第２熱交換器（61,62）と切換機構とがそれぞれ配置されていることを特徴とする調湿装置。
【請求項２】
請求項１に記載の調湿装置において、
上記冷媒回路（60）の圧縮機（63）は、ケーシング（11）の第１空間（17）における給気ファン（25）と排気ファン（26）との間に配置されていることを特徴とする調湿装置。
【請求項３】
請求項１又は２に記載の調湿装置において、
上記第１及び第２熱交換器（61,62）は、上記ケーシング（11）の厚さ方向へ空気が通過するように配置されていることを特徴とする調湿装置。
【請求項４】
請求項１又は２に記載の調湿装置において、
上記第１及び第２熱交換器（61,62）は、上記ケーシング（11）の厚さ方向と垂直な方向へ空気が通過するように配置されていることを特徴とする調湿装置。
【請求項５】
請求項１乃至４のいずれか１つに記載の調湿装置において、
上記給気ファン（25）と排気ファン（26）とは、ファンケーシングの側方から吸って前方へ吹き出す多翼ファンよりなり、その羽根車の軸心が上記ケーシング（11）の厚さ方向に向くように配置されていることを特徴とする調湿装置。
【請求項６】
請求項５に記載の調湿装置において、
上記ケーシング（11）のファン側側板（13）に直交する側板（14,15）のうちの一方には、室内に連通する給気口（24）と内気吸込口（22）とが、他方には、室外に連通する排気口（23）と外気吸込口（21）とがそれぞれ設けられ、
上記第２空間（18）には、上記第１熱交換器（61）が収納された第１熱交換室（41）と、第２熱交換器（62）が収納された第２熱交換室（42）とが上記ファン側側板（13）に直交する方向に並ぶように隣接して形成されると共に、該２つの熱交換室（61,62）の連続した側面の一方に沿って延び且つケーシング（11）の厚さ方向に重畳して配置された空気の第１流入路（43）及び第１流出路（44）と、上記２つの熱交換室（61,62）の連続した側面の他方に沿って延び且つケーシング（11）の厚さ方向に重畳して配置された空気の第２流入路（45）及び第２流出路（46）とが設けられ、
上記各流出路（44,46）は、ファン側連通口（75,76）を介して第１空間（17）と連通していることを特徴とする調湿装置。
【請求項７】
請求項５に記載の調湿装置において、
上記ケーシング（11）のファン側側板（13）には、室内に連通する給気口（24）と室外に連通する排気口（23）とが、上記ファン側側板（13）に対向する側板（12）には、内気吸込口（22）と外気吸込口（21）とがそれぞれ設けられ、
上記第２空間（18）には、上記第１熱交換器（61）が収納された第１熱交換室（41）と、第２熱交換器（62）が収納された第２熱交換室（42）とが上記ファン側側板（13）の長手方向に並ぶように隣接して形成されると共に、該２つの熱交換室（61,62）の連続した側面の一方と上記ファン側側板（13）に対向する側板（12）との間に該側板（12）に沿って延び且つケーシング（11）の厚さ方向に重畳して配置された空気の第１流入路（43）及び第２流入路（45）と、上記２つの熱交換室（61,62）の連続した側面の他方と上記ファン側側板（13）との間に該ファン側側板（13）に沿って延び且つケーシング（11）の厚さ方向に重畳して配置された空気の第１流出路（44）及び第２流出路（46）とが設けられ、
上記各流出路（44,46）は、ファン側連通口（75,76）を介して第１空間（17）と連通していることを特徴とする調湿装置。
【請求項８】
請求項６又は７に記載の調湿装置において、
上記給気ファン（25）は、そのファンケーシング側方の吸込口（27）が上記ファン側連通口（75,76）のいずれか一方を向くように配置され、
上記排気ファン（26）は、そのファンケーシング側方の吸込口（27）が上記ファン側連通口（75,76）の他方を向くように配置されていることを特徴とする調湿装置。
【請求項９】
請求項１乃至８のいずれか１つに記載の調湿装置において、
上記冷媒回路（60）の膨張機構（65）と冷媒循環方向を反転させるための反転機構（64）とがケーシング（11）の第１空間（17）内に配置されていることを特徴とする調湿装置。
【請求項１０】
請求項９に記載の調湿装置において、
上記第１及び第２熱交換器（61,62）に接続される冷媒回路（60）の配管がケーシング（11）の天板に沿って配置されていることを特徴とする調湿装置。
【発明の詳細な説明】
【技術分野】
【０００１】
本発明は、空気の湿度調節を行う調湿装置であって、特に、冷凍サイクルを行って吸着剤の再生や冷却を行うものに関する。
【背景技術】
【０００２】
従来より、例えば特許文献１に開示されているように、吸着剤と冷凍サイクルとを利用して空気の湿度調節を行う調湿装置が知られている。この調湿装置は、２つの吸着ユニットを備えている。各吸着ユニットは、吸着剤が充填されたメッシュ容器と、このメッシュ容器を貫通する冷媒管とによって構成されている。各吸着ユニットの冷媒管は、冷凍サイクルを行う冷媒回路に接続されている。また、上記調湿装置には、各吸着ユニットへ送られる空気を切り換えるためのダンパが設けられている。
【０００３】
上記調湿装置の運転中には、冷媒回路の圧縮機が運転され、２つの吸着ユニットの一方が蒸発器となって他方が凝縮器となる冷凍サイクルが行われる。また、冷媒回路では、四方切換弁を操作することによって冷媒の循環方向が切り換わり、各吸着ユニットは交互に蒸発器として機能したり凝縮器として機能したりする。
【０００４】
上記調湿装置の加湿運転では、室外から室内へ向けて流れる給気を凝縮器となる吸着ユニットへ導き、吸着剤から脱離した水分で給気を加湿する。その際、室内から室外へ向けて流れる排気を蒸発器となる吸着ユニットへ導き、排気中の水分を吸着剤に回収する。一方、調湿装置の除湿運転では、室外から室内へ向けて流れる給気を蒸発器となる吸着ユニットへ導き、吸気中の水分を吸着剤に吸着させる。その際、室内から室外へ向けて流れる排気を凝縮器となる吸着ユニットへ導き、吸着剤から脱離した水分を排気と共に室外へ排出する。
【０００５】
なお、上記吸着ユニットと同様の機能を有するものとしては、例えば特許文献２に開示されているような熱交換部材も知られている。この熱交換部材では、銅管の周囲に板状のフィンが設けられ、この銅管やフィンの表面に吸着剤が担持されている。そして、この熱交換部材は、銅管内を流れる流体によって吸着剤の加熱や冷却を行うように構成されている。
【特許文献１】特開平８−１８９６６７号公報
【特許文献２】特開平７−２６５６４９号公報
【発明の開示】
【発明が解決しようとする課題】
【０００６】
ところで、上記従来の調湿装置では、天井に埋め込んで使用する場合があり、できるだけコンパクトにしなければならないという課題がある。
【０００７】
本発明は、かかる点に鑑みてなされたものであり、その目的とするところは、ケーシング内の機器を適切に配置することにより、装置全体をコンパクトにして設置しやすいものとすることある。
【課題を解決するための手段】
【０００８】
上記の目的を達成するために、この発明では、冷媒回路（60）をケーシング（11）内に設置し、熱交換器（61,62）とファン（25,26）の設置位置を特定した。
【０００９】
具体的には、第１の発明では、除湿した第１空気と加湿した第２空気との一方を室内へ供給して他方を室外へ排出する調湿装置を対象とする。
【００１０】
そして、吸着剤を担持する第１及び第２熱交換器（61,62）が接続されて冷凍サイクルを行うと共に冷媒循環方向が反転可能な冷媒回路（60）と、内部に上記冷媒回路（60）が設置される箱状のケーシング（11）と、上記ケーシング（11）内に設置された給気ファン（25）及び排気ファン（26）と、上記熱交換器（61,62）のうち蒸発器となっている方を第１空気が通過して凝縮器となっている方を第２空気が通過するように、上記ケーシング（11）内での空気の流通経路を上記冷媒回路（60）での冷媒循環方向に応じて切り換える切換機構とを備える一方、上記ケーシング（11）の内部空間は、該ケーシング（11）の側板の１つであるファン側側板（13）に沿った第１空間（17）と残りの第２空間（18）とに区画され、上記第１空間（17）に給気ファン（25）及び排気ファン（26）が、上記第２空間（18）に第１及び第２熱交換器（61,62）と切換機構とがそれぞれ配置されている。
【００１１】
上記の構成によると、箱状のケーシング（11）内部に設けられた冷媒回路（60）で２つの冷凍サイクル動作が交互に繰り返し行われる。ケーシング（11）内に設置された給気ファン（25）及び排気ファン（26）によって空気がケーシング（11）内に取り込まれる。第１の冷凍サイクル動作中には、凝縮器となる第１熱交換器（61）へ第２空気が送られて、蒸発器となる第２熱交換器（62）へ第１空気が送られる。そして、第１熱交換器（61）では、冷媒により加熱されて吸着剤が再生され、吸着剤から脱離した水分が第２空気に付与される。また、第２熱交換器（62）では、第１空気中の水分が吸着剤に吸着され、その際に生じる吸着熱を冷媒が吸熱する。一方、第２の冷凍サイクル動作中には、切換機構によって第１の冷凍サイクル動作中と異なる流通経路に切り換えられる。上記蒸発器となる第１熱交換器（61）へ第１空気が送られて、凝縮器となる第２熱交換器（62）へ第２空気が送られる。そして、第１熱交換器（61）では、第１空気中の水分が吸着剤に吸着され、その際に生じる吸着熱を冷媒が吸熱する。また、第２熱交換器（62）では、冷媒により加熱されて吸着剤が再生され、吸着剤から脱離した水分が第２空気に付与される。そして、調湿装置は、除湿した第１空気又は加湿した第２空気を室内へ供給する。
【００１２】
さらに、この発明では、ケーシング（11）内の区切られた空間のうち、一方のファン側側板（13）に沿った第１空間（17）に給気ファン（25）及び排気ファン（26）を配置し、他方の第２空間（18）に第１及び第２熱交換器（61,62）と切換機構とを配置しているので、各ファン（25,26）をケーシング（11）の対角線上に配置するような場合に比べ、格段に装置全体のコンパクト化を図ることができる。したがって、天井裏のような狭い領域にも設置しやすい調湿装置が得られる。
【００１３】
第２の発明では、上記冷媒回路（60）の圧縮機（63）は、ケーシング（11）の第１空間（17）における給気ファン（25）と排気ファン（26）との間に配置されている。
【００１４】
上記の構成によると、ケーシング（11）内には、２つの熱交換器（61,62）が配置されているが、この熱交換器（61,62）は、調湿能力確保のために所定の大きさを必要とし、給気ファン（25）と排気ファン（26）との間には、ある程度スペースが発生するが、その空いたスペースを有効利用して圧縮機（63）を設けることができるので、さらに調湿装置のコンパクト化を図ることができる。
【００１５】
第３の発明では、上記第１及び第２熱交換器（61,62）は、上記ケーシング（11）の厚さ方向へ空気が通過するように配置されている。
【００１６】
上記の構成によると、天井に埋め込むときのように調湿装置を水平置きしたとき、２つの熱交換器（61,62）もほぼ水平置きに配置されるような場合であって、厚さの小さい調湿装置が得られる。
【００１７】
第４の発明では、上記第１及び第２熱交換器（61,62）は、上記ケーシング（11）の厚さ方向と垂直な方向へ空気が通過するように配置されている。
【００１８】
上記の構成によると、天井に埋め込むときのように調湿装置を水平置きしたとき、２つの熱交換器（61,62）がほぼ垂直に配置されるような場合であって、幅の小さい調湿装置が得られる。
【００１９】
第５の発明では、上記給気ファン（25）と排気ファン（26）とは、ファンケーシングの側方から吸って前方へ吹き出す多翼ファンよりなり、その羽根車の軸心が上記ケーシング（11）の厚さ方向に向くように配置されている。
【００２０】
上記の構成によると、羽根車の直径に対し、羽根車の軸心方向におけるファン全体の寸法が小さいような薄型のファンの場合に、調湿装置の厚さを薄くすることができる。
【００２１】
第６の発明では、上記ケーシング（11）のファン側側板（13）に直交する側板（14,15）のうちの一方には、室内に連通する給気口（24）と内気吸込口（22）とが、他方には、室外に連通する排気口（23）と外気吸込口（21）とがそれぞれ設けられ、上記第２空間（18）には、上記第１熱交換器（61）が収納された第１熱交換室（41）と、第２熱交換器（62）が収納された第２熱交換室（42）とが上記ファン側側板（13）に直交する方向に並ぶように隣接して形成されると共に、該２つの熱交換室（61,62）の連続した側面の一方に沿って延び且つケーシング（11）の厚さ方向に重畳して配置された空気の第１流入路（43）及び第１流出路（44）と、上記２つの熱交換室（61,62）の連続した側面の他方に沿って延び且つケーシング（11）の厚さ方向に重畳して配置された空気の第２流入路（45）及び第２流出路（46）とが設けられ、上記各流出路（44,46）は、ファン側連通口（75,76）を介して第１空間（17）と連通している。
【００２２】
上記の構成によると、ケーシング（11）内に取り入れられた空気は、第１又は第２流入路（45）に流入し、第１又は第２熱交換器（61,62）を通って除湿又は加湿され、その後、第１流出路（44）の空気はファン側連通口（76）を通って給気ファン（25）又は排気ファン（26）の一方によって排出され、第２流出路（46）の空気はファン側連通口（75）を通って他方のファンによって排出される。
【００２３】
そして、ケーシング（11）の１つの側板に設けられた給気口（24）と内気吸込口（22）とに、室内に連通するダクト（72,74）を接続でき、また、他の側板に設けられた排気口（23）と外気吸込口（21）とに、室外に連通するダクト（71,73）を接続することができる。このため、各ダクト（71,72,…）を室内又は室外に向かってストレートに配置することができるので、ダクト（71,72,…）の配管が容易であると共に、設置スペースを小さくすることができる。
【００２４】
第７の発明では、上記ケーシング（11）のファン側側板（13）には、室内に連通する給気口（24）と室外に連通する排気口（23）とが、上記ファン側側板（13）に対向する側板（12）には、内気吸込口（22）と外気吸込口（21）とがそれぞれ設けられ、上記第２空間（18）には、上記第１熱交換器（61）が収納された第１熱交換室（41）と、第２熱交換器（62）が収納された第２熱交換室（42）とが上記ファン側側板（13）の長手方向に並ぶように隣接して形成されると共に、該２つの熱交換室（61,62）の連続した側面の一方と上記ファン側側板（13）に対向する側板（12）との間に該側板（12）に沿って延び且つケーシング（11）の厚さ方向に重畳して配置された空気の第１流入路（43）及び第２流入路（45）と、上記２つの熱交換室（61,62）の連続した側面の他方と上記ファン側側板（13）との間に該ファン側側板（13）に沿って延び且つケーシング（11）の厚さ方向に重畳して配置された空気の第１流出路（44）及び第２流出路（46）とが設けられ、上記各流出路（44,46）は、ファン側連通口（75,76）を介して第１空間（17）と連通している。
【００２５】
上記の構成によると、内気吸込口（22）及び外気吸込口（21）からケーシング（11）内に取り入れられた空気は、第１又は第２流入路（44,46）に流入し、第１又は第２熱交換器（61,62）を通って除湿又は加湿され、その後、第１流出路（44）の空気はファン側連通口（76）を通って給気ファン（25）又は排気ファン（26）の一方によって排出され、第２流出路（46）の空気はファン側連通口（75）を通って他方のファンによって排出される。
【００２６】
この構成では、ファン側側板（13）の長手方向に並んだ第１熱交換室（41）及び第２熱交換室（42）の連続した側面の一方に沿って第１流入路（43）及び第２流入路（45）が設けられ、他方に沿って第１流出路（44）及び第２流出路（46）が設けられているので、調湿装置（ケーシング（11））は、ファン側側板（13）に直交する方向に長い形状となる。この調湿装置の長手方向（ファン側側板（13）に直交する方向）に上記ダクト（71,72,…）を配置でき、ファン側側板（13）の長手方向の調湿装置の設置スペースを小さくすることができる。
【００２７】
第８の発明では、上記給気ファン（25）は、そのファンケーシング側方の吸込口（27）が上記ファン側連通口（75,76）のいずれか一方を向くように配置され、上記排気ファン（26）は、そのファンケーシング側方の吸込口（27）が上記ファン側連通口（75,76）の他方を向くように配置されている。
【００２８】
上記の構成によると、ファンケーシング側方の吸込口（27）がファン側連通口（75,76）を向いているので、第１又は第２流出路（44,46）における熱交換器（61,62）によって除湿又は加湿された空気が各ファン（25,26）によって各ファン側連通口（75,76）から滑らかに吸い込まれる。したがって、空気の抵抗が小さくなるので調湿装置の効率が向上する。
【００２９】
第９の発明では、上記冷媒回路（60）の膨張機構（65）と冷媒循環方向を反転させるための反転機構（64）とがケーシング（11）の第１空間（17）内に配置されている。
【００３０】
上記の構成によると、圧縮機（63）に加え、冷媒回路（60）の膨張機構（65）と冷媒循環方向を反転させるための反転機構（64）とを第１空間（17）内に集結しているので、さらに装置全体の省スペース化を図ることができる。
【００３１】
第１０の発明では、上記第１及び第２熱交換器（61,62）に接続される冷媒回路（60）の配管がケーシング（11）の天板に沿って配置されている。
【００３２】
上記の構成によると、冷媒回路（60）の配管をケーシング（11）の天板に沿って設けているので、冷媒回路（60）を上側から設置できると共に、冷媒回路（60）のメンテナンスが上方から行える。
【発明の効果】
【００３３】
以上説明したように、本願発明によれば、ケーシング（11）内のファン側側板（13）に沿った第１空間（17）に給気ファン（25）及び排気ファン（26）を配置し、他方の第２空間（18）に第１及び第２熱交換器（61,62）と切換機構とを配置しているので、装置全体の省スペース化が図られ、天井裏のような狭い領域にも設置しやすい調湿装置が得られる。
【発明を実施するための最良の形態】
【００３４】
以下、本発明の実施形態を図面に基づいて説明する。なお、以下の実施形態は、本質的に好ましい例示であって、本発明、その適用物や用途の範囲を制限することを意図するものではない。
【００３５】
（実施形態１）
以下、本発明の実施形態１を図面に基づいて詳細に説明する。
【００３６】
図１及び図２に示すように、本実施形態の調湿装置（10）は、室内空気の除湿と加湿とを行うものであり、箱状のケーシング（11）を備え、例えば、天井裏に水平置きに配置されている。なお、図２においては、(Ｂ)が平面図であり、（Ｃ）がＹ方向から見た矢視図であり、（Ａ）がＸ方向から見た矢視図である。また、以下の説明における「右」「左」は、いずれも図２におけるものを意味する。図１は、図２（Ｂ）における調湿装置（10）を右上から見た斜視図である。
【００３７】
上記ケーシング（11）内には、冷媒回路（60）等が収納されている。この冷媒回路（60）は、第１熱交換器（61）、第２熱交換器（62）、圧縮機（63）、反転機構としての四方切換弁（64）、及び膨張機構（65）としての電動膨張弁（65）が設けられた閉回路であって、冷媒が充填されている。冷媒回路（60）では、充填された冷媒を反転可能に循環させることにより蒸気圧縮式の冷凍サイクルが行われる。なお、冷媒回路（60）の詳細については後述する。
【００３８】
図２に示すように、上記ケーシング（11）は、平面視が概ね正方形状で扁平な箱型に形成されている。このケーシング（11）の左側の側板が第１側板（12）によって、右側の側板がファン側側板としての第２側板（13）によって、正面側の側板が第３側板（14）によって、背面側の側板が第４側板（15）によって構成されている。なお、図１では第２側板（13）、第４側板（15）及び天板を省略している。
【００３９】
上記ケーシング（11）左側の第１側板（12）には、その背面側の第４側板（15）寄り上側に室外空気吸込口（21）が形成され、その正面側の第３側板（14）寄り上側に室内空気吸込口（22）が形成されている。一方、ケーシング（11）右側の第２側板（13）には、その第４側板（15）寄りに排気吹出口（23）が形成され、その第３側板（14）寄りに給気吹出口（24）が形成されている。
【００４０】
図１に２点鎖線で示すように、上記ケーシング（11）における第１側板（12）の室外空気吸込口（21）に室外空気吸込ダクト（71）が接続され、室内空気吸込口（22）に室内空気吸込ダクト（72）が接続されている。一方、ケーシング（11）における第２側板（13）の排気吹出口（23）に排気吹出ダクト（73）が接続され、給気吹出口（24）に給気吹出ダクト（74）が接続されている。このようにして、室内及び室外とケーシング（11）内とが連通されている。
【００４１】
図２に示すように、上記ケーシング（11）の内部には、左右方向の中心部よりも第２側板（13）寄りに第１仕切板（31）が立設されている。ケーシング（11）の内部空間（16）は、この第１仕切板（31）によって、左右に仕切られている。そして、第１仕切板（31）の右側が第１空間（17）となり、第１仕切板（31）の左側が第２空間（18）となっている。
【００４２】
上記ケーシング（11）の第１空間（17）の内部には、第３側板（14）寄りに第７仕切板（37）が立設されている。この第７仕切板（37）によって、第１空間（17）が２分割されている。その分割された第１空間（17）のうち、第３側板（14）側には、給気ファン（25）が収納され、第４側板（15）側には、排気ファン（26）が収納されている。この給気ファン（25）と排気ファン（26）とは、ファンケーシングの側方から吸って前方へ吹き出す多翼ファンよりなる。
【００４３】
上記第１空間（17）の第４側板（15）側には、上記給気ファン（25）と排気ファン（26）とに挟まれるように、冷媒回路（60）の圧縮機（63）が配置されている。また、図１に示すように、冷媒回路（60）の電動膨張弁（65）や四方切換弁（64）も第１空間（17）の第４側板（15）側に配置されている。さらに、上記排気ファン（26）は、排気吹出口（23）に接続されている。上記給気ファン（25）は、給気吹出口（24）に接続されている。
【００４４】
上記ケーシング（11）の第２空間（18）には、第２仕切板（32）と第３仕切板（33）と第６仕切板（36）とが設けられている。第２仕切板（32）は第３側板（14）寄りに立設され、第３仕切板（33）は第４側板（15）寄りに立設されている。そして、第２空間（18）は、第２仕切板（32）及び第３仕切板（33）により、正面側から背面側に向かって３つの空間に仕切られている。第６仕切板（36）は、第２仕切板（32）と第３仕切板（33）に挟まれた空間に設けられている。この第６仕切板（36）は、第２空間（18）の左右幅方向の中央に立設されている。
【００４５】
第２仕切板（32）と第３仕切板（33）に挟まれた空間は、第６仕切板（36）によって左右に仕切られている。このうち、右側の空間は、第１熱交換室（41）を構成しており、その内部に第１熱交換器（61）が配置されている。一方、左側の空間は、第２熱交換室（42）を構成しており、その内部に第２熱交換器（62）が配置されている。
【００４６】
上記第１仕切板（31）の長手方向中央部上側には、第１熱交換室（41）と第１空間（17）とを連通させる配管用開口（31a ）が設けられている。さらに第６仕切板（36）の長手方向中央部上側にも、配管用開口（36a ）が設けられている。
【００４７】
各熱交換器（61,62）は、全体として厚肉の平板状に形成されている。そして、第１熱交換器（61）は、第１熱交換室（41）を水平方向へ横断するように設置されている。また、第２熱交換器（62）は、第２熱交換室（42）を水平方向へ横断するように設置されている。なお、第１，第２熱交換器（61,62）の詳細については後述する。
【００４８】
上記第２空間（18）のうち第３仕切板（33）とケーシング（11）の第４側板（15）に挟まれた空間には、第５仕切板（35）が設けられている。第５仕切板（35）は、この空間の高さ方向の中央部を横断するように設けられ、この空間を上下に仕切っている（図２(Ａ)を参照）。そして、第５仕切板（35）の上側の空間が第１流入路（43）を構成し、その下側の空間が第１流出路（44）を構成している。また、第１流入路（43）は室外空気吸込口（21）に連通し、第１流出路（44）は第１仕切板（31）の第２ファン側連通口（76）及び排気ファン（26）を介して排気吹出口（23）に連通している。
【００４９】
一方、上記第２空間（18）のうち第２仕切板（32）とケーシング（11）の第３側板（14）に挟まれた空間には、第４仕切板（34）が設けられている。第４仕切板（34）は、この空間の高さ方向の中央部を横断するように設けられ、この空間を上下に仕切っている（図２(Ｃ)を参照）。そして、第４仕切板（34）の上側の空間が第２流入路（45）を構成し、その下側の空間が第２流出路（46）を構成している。また、第２流入路（45）は室内空気吸込口（22）に連通し、第２流出路（46）は第１仕切板（31）の第１ファン側連通口（75）及び給気ファン（25）を介して給気吹出口（24）に連通している。
【００５０】
上記第３仕切板（33）には、４つの開口（51,52,53,54）が形成されている（図２(Ａ)を参照）。第３仕切板（33）の右上部に形成された第１開口（51）は、第１熱交換室（41）における第１熱交換器（61）の上側を第１流入路（43）と連通させている。第３仕切板（33）の左上部に形成された第２開口（52）は、第２熱交換室（42）における第２熱交換器（62）の上側を第１流入路（43）と連通させている。第３仕切板（33）の右下部に形成された第３開口（53）は、第１熱交換室（41）における第１熱交換器（61）の下側を第１流出路（44）と連通させている。第３仕切板（33）の左下部に形成された第４開口（54）は、第２熱交換室（42）における第２熱交換器（62）の下側を第１流出路（44）と連通させている。
【００５１】
第２仕切板（32）には、４つの開口（55,56,57,58）が形成されている（図２(Ｃ)を参照）。第２仕切板（32）の右上部に形成された第５開口（55）は、第１熱交換室（41）における第１熱交換器（61）の上側を第２流入路（45）と連通させている。第２仕切板（32）の左上部に形成された第６開口（56）は、第２熱交換室（42）における第２熱交換器（62）の上側を第２流入路（45）と連通させている。第２仕切板（32）の右下部に形成された第７開口（57）は、第１熱交換室（41）における第１熱交換器（61）の下側を第２流出路（46）と連通させている。第２仕切板（32）の左下部に形成された第８開口（58）は、第２熱交換室（42）における第２熱交換器（62）の下側を第２流出路（46）と連通させている。
【００５２】
上記第３仕切板（33）の各開口（51,52,53,54）、及び第２仕切板（32）の各開口（55,56,57,58）には、図示しないが、それぞれに開閉自在の切換機構としてのダンパが設けられている。そして、これらの各開口（51,…,55,…）は、ダンパを開閉することによって開口状態と閉鎖状態とに切り換わる。このことで、ケーシング（11）内での空気の流通経路を上記冷媒回路（60）での冷媒循環方向に応じて切り換えることができる。
【００５３】
上記冷媒回路（60）について、図１及び図３を参照しながら説明する。
【００５４】
上記圧縮機（63）は、その吐出側が四方切換弁（64）の第１のポートに接続され、その吸入側が上記第１仕切板（31）の配管用開口（31a ）を通って四方切換弁（64）の第２のポートに接続されている。第１熱交換器（61）の一端は、配管用開口（31a ）を通って四方切換弁（64）の第３のポートに接続されている。第１熱交換器（61）の他端は、配管用開口（31a ）を通って電動膨張弁（65）に接続され、再び配管用開口（31a ）を通り、第６仕切板（36）の配管用開口（36a ）を通って第２熱交換器（62）の一端に接続されている。第２熱交換器（62）の他端は、配管用開口（31a,36a）を通って四方切換弁（64）の第４のポートに接続されている。
【００５５】
上記圧縮機（63）は、いわゆる全密閉型に構成されている。図示しないが、この圧縮機（63）の電動機には、インバータを介して電力が供給されている。
【００５６】
上記第１及び第２熱交換器（61,62）は、いずれも、伝熱管と多数のフィンとを備えた、いわゆるクロスフィン型のフィン・アンド・チューブ熱交換器により構成されている。また、第１及び第２熱交換器（61,62）の外表面には、その概ね全面に亘り、例えばゼオライト等の吸着剤が担持されている。
【００５７】
上記四方切換弁（64）は、第１のポートと第３のポートが連通して第２のポートと第４のポートが連通する状態（図３(Ａ)に示す状態）と、第１のポートと第４のポートが連通して第２のポートと第３のポートが連通する状態（図３(Ｂ)に示す状態）とに切り換え自在に構成されている。そして、冷媒回路（60）は、この四方切換弁（64）を切り換えることにより、冷媒循環方向を反転させ、第１熱交換器（61）が凝縮器として機能して第２熱交換器（62）が蒸発器として機能する第１冷凍サイクル動作と、第１熱交換器（61）が蒸発器として機能して第２熱交換器（62）が凝縮器として機能する第２冷凍サイクル動作とを切り換えて行うように構成されている。
【００５８】
−調湿装置の調湿動作−
上記調湿装置（10）の調湿動作について説明する。この調湿装置（10）では、除湿運転と加湿運転とが切り換え可能となっている。また、上記調湿装置（10）において、除湿運転中や加湿運転中には、第１動作と第２動作とが比較的短い時間間隔（例えば３分間隔）で交互に繰り返される。
【００５９】
《除湿運転》
除湿運転時において、調湿装置（10）では、給気ファン（25）及び排気ファン（26）が運転される。そして、調湿装置（10）は、室外空気（OA）を第１空気として取り込んで室内に供給する一方、室内空気（RA）を第２空気として取り込んで室外に排出する。
【００６０】
先ず、除湿運転時の第１動作について、図３及び図４を参照しながら説明する。この第１動作では、第１熱交換器（61）において吸着剤の再生が行われ、第２熱交換器（62）において第１空気である室外空気（OA）の除湿が行われる。
【００６１】
第１動作時において、冷媒回路（60）では、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【００６２】
具体的に、圧縮機（63）から吐出された冷媒は、第１熱交換器（61）で放熱して凝縮し、その後に電動膨張弁（65）へ送られて減圧される。減圧された冷媒は、第２熱交換器（62）で吸熱して蒸発し、その後に圧縮機（63）へ吸入されて圧縮される。そして、圧縮された冷媒は、再び圧縮機（63）から吐出される。
【００６３】
また、第１動作時には、第２開口（52）と第３開口（53）と第５開口（55）と第８開口（58）とが開口状態になり、第１開口（51）と第４開口（54）と第６開口（56）と第７開口（57）とが閉鎖状態になる。そして、図４に示すように、第１熱交換器（61）へ第２空気としての室内空気（RA）が供給され、第２熱交換器（62）へ第１空気としての室外空気（OA）が供給される。
【００６４】
具体的に、室内空気吸込口（22）より流入した第２空気は、第２流入路（45）から第５開口（55）を通って第１熱交換室（41）へ送り込まれる。第１熱交換室（41）では、第２空気が第１熱交換器（61）を上から下へ向かって通過してゆく。第１熱交換器（61）では、外表面に担持された吸着剤が冷媒により加熱され、この吸着剤から水分が脱離する。吸着剤から脱離した水分は、第１熱交換器（61）を通過する第２空気に付与される。第１熱交換器（61）で水分を付与された第２空気は、第１熱交換室（41）から第３開口（53）を通って第１流出路（44）へ流出する。その後、第２空気は、排気ファン（26）へ吸い込まれ、排気吹出口（23）から排出空気（EA）として室外へ排出される。
【００６５】
一方、室外空気吸込口（21）より流入した第１空気は、第１流入路（43）から第２開口（52）を通って第２熱交換室（42）へ送り込まれる。第２熱交換室（42）では、第１空気が第２熱交換器（62）を上から下へ向かって通過してゆく。第２熱交換器（62）では、その表面に担持された吸着剤に第１空気中の水分が吸着される。その際に生じる吸着熱は、冷媒が吸熱する。第２熱交換器（62）で除湿された第１空気は、第２熱交換室（42）から第８開口（58）を通って第２流出路（46）へ流出する。その後、第１空気は、給気ファン（25）へ吸い込まれ、給気吹出口（24）から供給空気（SA）として室内へ供給される。
【００６６】
次に、除湿運転時の第２動作について、図３及び図５を参照しながら説明する。この第２動作では、第２熱交換器（62）において吸着剤の再生が行われ、第１熱交換器（61）において第１空気である室外空気（OA）の除湿が行われる。
【００６７】
第２動作時において、冷媒回路（60）では、四方切換弁（64）が図３(Ｂ)に示す状態に切り換えられる。この状態で圧縮機（63）を運転すると、冷媒回路（60）で冷媒が循環し、第１熱交換器（61）が蒸発器となって第２熱交換器（62）が凝縮器となる第２冷凍サイクル動作が行われる。
【００６８】
具体的に、圧縮機（63）から吐出された冷媒は、第２熱交換器（62）で放熱して凝縮し、その後に電動膨張弁（65）へ送られて減圧される。減圧された冷媒は、第１熱交換器（61）で吸熱して蒸発し、その後に圧縮機（63）へ吸入されて圧縮される。そして、圧縮された冷媒は、再び圧縮機（63）から吐出される。
【００６９】
また、第２動作時には、第１開口（51）と第４開口（54）と第６開口（56）と第７開口（57）とが開口状態となり、第２開口（52）と第３開口（53）と第５開口（55）と第８開口（58）とが閉鎖状態となる。そして、図５に示すように、第１熱交換器（61）へ第１空気としての室外空気（OA）が供給され、第２熱交換器（62）へ第２空気としての室内空気（RA）が供給される。
【００７０】
具体的に、室内空気吸込口（22）より流入した第２空気は、第２流入路（45）から第６開口（56）を通って第２熱交換室（42）へ送り込まれる。第２熱交換室（42）では、第２空気が第２熱交換器（62）を上から下へ向かって通過してゆく。第２熱交換器（62）では、外表面に担持された吸着剤が冷媒により加熱され、この吸着剤から水分が脱離する。吸着剤から脱離した水分は、第２熱交換器（62）を通過する第２空気に付与される。第２熱交換器（62）で水分を付与された第２空気は、第２熱交換室（42）から第４開口（54）を通って第１流出路（44）へ流出する。その後、第２空気は、排気ファン（26）へ吸い込まれ、排気吹出口（23）から排出空気（EA）として室外へ排出される。
【００７１】
一方、室外空気吸込口（21）より流入した第１空気は、第１流入路（43）から第１開口（51）を通って第１熱交換室（41）へ送り込まれる。第１熱交換室（41）では、第１空気が第１熱交換器（61）を上から下へ向かって通過してゆく。第１熱交換器（61）では、その表面に担持された吸着剤に第１空気中の水分が吸着される。その際に生じる吸着熱は、冷媒が吸熱する。第１熱交換器（61）で除湿された第１空気は、第１熱交換室（41）から第７開口（57）を通って第２流出路（46）へ流出する。その後、第１空気は、給気ファン（25）へ吸い込まれ、給気吹出口（24）から供給空気（SA）として室内へ供給される。
【００７２】
《加湿運転》
加湿運転時において、調湿装置（10）では、給気ファン（25）及び排気ファン（26）が運転される。そして、調湿装置（10）は、室内空気（RA）を第１空気として取り込んで室外に排出する一方、室外空気（OA）を第２空気として取り込んで室内に供給する。
【００７３】
先ず、加湿運転時の第１動作について、図３及び図６を参照しながら説明する。この第１動作では、第１熱交換器（61）において第２空気である室外空気（OA）の加湿が行われ、第２熱交換器（62）において第１空気である室内空気（RA）から水分の回収が行われる。
【００７４】
第１動作時において、冷媒回路（60）では、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【００７５】
また、第１動作時には、第１開口（51）と第４開口（54）と第６開口（56）と第７開口（57）とが開口状態になり、第２開口（52）と第３開口（53）と第５開口（55）と第８開口（58）とが閉鎖状態になる。そして、図６に示すように、第１熱交換器（61）には第２空気としての室外空気（OA）が供給され、第２熱交換器（62）には第１空気としての室内空気（RA）が供給される。
【００７６】
具体的に、室内空気吸込口（22）より流入した第１空気は、第２流入路（45）から第６開口（56）を通って第２熱交換室（42）へ送り込まれる。第２熱交換室（42）では、第１空気が第２熱交換器（62）を上から下へ向かって通過してゆく。第２熱交換器（62）では、その表面に担持された吸着剤に第１空気中の水分が吸着される。その際に生じる吸着熱は、冷媒が吸熱する。その後、水分を奪われた第１空気は、第４開口（54）、第１流出路（44）、排気ファン（26）を順に通過し、排出空気（EA）として排気吹出口（23）から室外へ排出される。
【００７７】
一方、室外空気吸込口（21）より流入した第２空気は、第１流入路（43）から第１開口（51）を通って第１熱交換室（41）へ送り込まれる。第１熱交換室（41）では、第２空気が第１熱交換器（61）を上から下へ向かって通過してゆく。第１熱交換器（61）では、外表面に担持された吸着剤が冷媒により加熱され、この吸着剤から水分が脱離する。吸着剤から脱離した水分は、第１熱交換器（61）を通過する第２空気に付与される。その後、加湿された第２空気は、第７開口（57）、第２流出路（46）、給気ファン（25）を順に通過し、供給空気（SA）として給気吹出口（24）から室内へ供給される。
【００７８】
次に、加湿運転時の第２動作について、図３及び図７を参照しながら説明する。この第２動作では、第２熱交換器（62）において第２空気である室外空気（OA）の加湿が行われ、第１熱交換器（61）において第１空気である室内空気（RA）から水分の回収が行われる。
【００７９】
第２動作時において、冷媒回路（60）では、四方切換弁（64）が図３(Ｂ)に示す状態に切り換えられる。この状態で圧縮機（63）を運転すると、冷媒回路（60）で冷媒が循環し、第１熱交換器（61）が蒸発器となって第２熱交換器（62）が凝縮器となる第２冷凍サイクル動作が行われる。
【００８０】
また、第２動作時には、第２開口（52）と第３開口（53）と第５開口（55）と第８開口（58）とが開口状態になり、第１開口（51）と第４開口（54）と第６開口（56）と第７開口（57）とが閉鎖状態になる。そして、図７に示すように、第１熱交換器（61）には第１空気としての室内空気（RA）が供給され、第２熱交換器（62）には第２空気としての室外空気（OA）が供給される。
【００８１】
具体的に、室内空気吸込口（22）より流入した第１空気は、第２流入路（45）から第５開口（55）を通って第１熱交換室（41）に送り込まれる。第１熱交換室（41）では、第１空気が第１熱交換器（61）を上から下に向かって通過してゆく。第１熱交換器（61）では、その表面に担持された吸着剤に第１空気中の水分が吸着される。その際に生じる吸着熱は、冷媒が吸熱する。その後、水分を奪われた第１空気は、第３開口（53）、第１流出路（44）、排気ファン（26）を順に通過し、排出空気（EA）として排気吹出口（23）から室外へ排出される。
【００８２】
一方、室外空気吸込口（21）より流入した第２空気は、第１流入路（43）から第２開口（52）を通って第２熱交換室（42）に送り込まれる。第２熱交換室（42）では、第２空気が第２熱交換器（62）を上から下へ向かって通過してゆく。第２熱交換器（62）では、外表面に担持された吸着剤が冷媒により加熱され、この吸着剤から水分が脱離する。吸着剤から脱離した水分は、第２熱交換器（62）を通過する第２空気に付与される。その後、加湿された第２空気は、第８開口（58）、第２流出路（46）、給気ファン（25）を順に通過し、供給空気（SA）として給気吹出口（24）から室内へ供給される。
【００８３】
−実施形態１の効果−
本実施形態では、ケーシング（11）内のファン側側板（13）に沿った第２空間（18）に給気ファン（25）及び排気ファン（26）を配置し、他方の第１空間（17）に第１及び第２熱交換器（61,62）と切換機構とを配置しているので、装置全体の省スペース化が図られ、天井裏のような狭い領域にも設置しやすい調湿装置（10）が得られる。
【００８４】
また、上記冷媒回路（60）の圧縮機（63）をケーシング（11）の第１空間（17）における給気ファン（25）と排気ファン（26）との間に配置したことにより、給気ファン（25）と排気ファン（26）との間の空いたスペースを有効利用してさらに調湿装置のコンパクト化を図ることができる。
【００８５】
さらに、上記２つの熱交換器（61,62）をほぼ水平置きに配置しているので、厚さの小さい調湿装置が得られる。
【００８６】
また、圧縮機（63）に加え、冷媒回路（60）の電動膨張弁（65）や四方切換弁（64）も第１空間（17）内に集結しているので、さらに装置全体の省スペース化を図ることができる。
【００８７】
また、上記第１及び第２熱交換器（61,62）に接続される冷媒回路（60）の配管をケーシング（11）の天板に沿って配置したことにより、冷媒回路（60）を上側から設置できると共に、冷媒回路（60）のメンテナンスが上方から行える。
【００８８】
−実施形態１の変形例−
上記実施形態の調湿装置（10）において、ケーシング（11）の第１空間（17）の内部を、第７仕切板（37）によって２分割しているが、図８に示すように、第３仕切板（38）を設けてケーシング（11）を空気通路から隔離したものとしてもよい。この場合には、圧縮機（63）が空気通路と遮断されて、室内に供給される空気が圧縮機（63）自体の放射熱による悪影響を受けることがない。さらに、第１熱交換室（41）と第１空間（17）との間に差圧が生じにくくなり、第１熱交換室（41）から配管用開口（31a ）を通って第１空間（17）側へ空気が流入することはない。
【００８９】
また、図示しないが、ケーシング（11）の第１空間（17）の内部を、第７仕切板（37）を設けず、上記第３仕切板（38）のみによって分割してもよい。この場合には、室内空気が圧縮機（63）自体の放射熱を吸収するため、暖房を重視する場合に有利な構成となる。
【００９０】
（実施形態２）
図９は本発明の実施形態２を示し、室外空気吸込口（21）、室内空気吸込口（22）、排気吹出口（23）、給気吹出口（24）の配置位置が異なる点で上記実施形態１と異なる。なお、以下の各実施形態では、図１〜図７と同じ部分については同じ符号を付してその詳細な説明は省略し、また、調湿装置（10）の調湿動作は上記実施形態１と全く同じであるため、省略する。
【００９１】
具体的には、上記ケーシング（11）背面側の第４側板（15）には、第１側板（12）寄り上側に室外空気吸込口（21）が形成され、第２側板（13）寄りに排気吹出口（23）が形成されている。一方、ケーシング（11）正面側の第３側板（14）には、その第２側板（13）寄りに給気吹出口（24）が形成され、第１側板（12）寄り上側に室内空気吸込口（22）が形成されている。
【００９２】
図９に２点鎖線で示すように、上記ケーシング（11）における第４側板（15）の室外空気吸込口（21）に室外空気吸込ダクト（71）が接続され、排気吹出口（23）に排気吹出ダクト（73）が接続される一方、ケーシング（11）における第３側板（14）の室内空気吸込口（22）に室内空気吸込ダクト（72）が接続され、給気吹出口（24）に給気吹出ダクト（74）が接続されている。
【００９３】
このことで、室外側のダクト（71,73）がケーシング（11）の第４側板（15）に並べられ、室内側のダクト（72,74）がケーシング（11）の第３側板（14）に並べられているため、各ダクト（71,72,…）を室内又は室外に向けてストレートに配置することができる。
【００９４】
（実施形態３）
図１０は本発明の実施形態３を示し、給気ファン（25）及び排気ファン（26）の置き方が異なる点等が上記実施形態１と異なる。
【００９５】
上記給気ファン（25）と排気ファン（26）の羽根車の軸心が上記ケーシング（11）の厚さ方向（図１０の上側）に向くように配置されている。
【００９６】
また、上記ケーシング（11）の第１流入路（43）と第１流出路（44）との位置関係が天地逆転していて、且つ第２流入路（45）と第２流出路（46）との位置関係が天地逆転している。それに伴って、上記第３仕切板（33）の４つの開口（51,52,53,54）及び第２仕切板（32）の４つの開口（55,56,57,58）も天地逆転して設けられている。
【００９７】
本実施形態の調湿装置（10）においても、調湿動作は、上記実施形態１と同じである。
【００９８】
このように配置することで、ケーシング（11）の厚さが抑えられ、調湿装置（10）全体のコンパクト化が図られる。
【００９９】
また、排気ファン（26）の吸込口（27）が第１流出路（44）に連通する第１仕切板（31）の第２ファン側連通口（76）側を向くように配置され、且つ給気ファン（25）の吸込口（27）が第２流出路（46）に連通する第１仕切板（31）の第１ファン側連通口（75）側を向くように配置されている。このことで、第１流出路（44）の空気を排気ファン（26）の吸込口（27）からスムーズに吸い込むことができると共に、第２流出路（46）の空気を給気ファン（25）の吸込口（27）からスムーズに吸い込むことができる。
【０１００】
（実施形態４）
図１１は本発明の実施形態４を示し、第２空間（18）側の機器の配置が異なる点等が上記実施形態３と異なる。
【０１０１】
具体的には、上記第２空間（18）には、上記第１熱交換器（61）が収納された第１熱交換室（41）と、第２熱交換器（62）が収納された第２熱交換室（42）とが上記ファン側側板（13）の長手方向に並ぶように隣接して形成されている。すなわち、第２空間（18）の左側に第１熱交換室（41）が配置され、右側に第２熱交換室（42）が配置されている。
【０１０２】
そして、上記第２空間（18）において、上記２つの熱交換室（61,62）の連続した側面の一方と上記第１側板（12）との間には、第１側板（12）に沿って延び且つケーシング（11）の厚さ方向に重畳して配置された空気の第１流入路（43）及び第２流入路（45）が設けられている。それに併せて、第２仕切板（32）には、４つの開口（51,52,55,56）が形成されている。
【０１０３】
また、上記第２空間（18）において、上記２つの熱交換室（61,62）の連続した側面の他方と上記ファン側側板（13）との間には、ファン側側板（13）に沿って延び且つケーシング（11）の厚さ方向に重畳して配置された空気の第１流出路（44）及び第２流出路（46）とが設けられている。それに併せて、第３仕切板（33）には、４つの開口（53,54,57,58）が形成されている。
【０１０４】
上記第１流出路（44）は、第２ファン側連通口（76）を介して第１空間（17）と連通し、上記第２流出路（46）は、第１ファン側連通口（75）を介して第１空間（17）と連通している。
【０１０５】
−調湿装置の調湿動作−
本実施形態の調湿動作を除湿運転の第１動作についてのみ説明する。その他の動作については、上記実施形態１と同様に四方切換弁（64）とダンパとを切り換えればよいため、省略する。
【０１０６】
第１動作時において、冷媒回路（60）では、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【０１０７】
具体的に、圧縮機（63）から吐出された冷媒は、第１熱交換器（61）で放熱して凝縮し、その後に電動膨張弁（65）へ送られて減圧される。減圧された冷媒は、第２熱交換器（62）で吸熱して蒸発し、その後に圧縮機（63）へ吸入されて圧縮される。そして、圧縮された冷媒は、再び圧縮機（63）から吐出される。
【０１０８】
また、図１１に示すように、第１動作時には、第２開口（52）と第３開口（53）と第５開口（55）と第８開口（58）とが開口状態になり、第１開口（51）と第４開口（54）と第６開口（56）と第７開口（57）とが閉鎖状態になる。そして、第１熱交換器（61）へ第２空気としての室内空気（RA）が供給され、第２熱交換器（62）へ第１空気としての室外空気（OA）が供給される。
【０１０９】
具体的に、室内空気吸込口（22）より流入した第２空気は、第２流入路（45）から第５開口（55）を通って第１熱交換室（41）へ送り込まれる。第１熱交換室（41）では、第２空気が第１熱交換器（61）を下から上へ向かって通過してゆく。第１熱交換器（61）では、外表面に担持された吸着剤が冷媒により加熱され、この吸着剤から水分が脱離する。吸着剤から脱離した水分は、第１熱交換器（61）を通過する第２空気に付与される。第１熱交換器（61）で水分を付与された第２空気は、第１熱交換室（41）から第３開口（53）を通って第１流出路（44）へ流出する。その後、第２空気は、第２ファン側連通口（76）を通って排気ファン（26）へ吸い込まれ、排気吹出口（23）から排出空気（EA）として室外へ排出される。
【０１１０】
一方、室外空気吸込口（21）より流入した第１空気は、第１流入路（43）から第２開口（52）を通って第２熱交換室（42）へ送り込まれる。第２熱交換室（42）では、第１空気が第２熱交換器（62）を上から下へ向かって通過してゆく。第２熱交換器（62）では、その表面に担持された吸着剤に第１空気中の水分が吸着される。その際に生じる吸着熱は、冷媒が吸熱する。第２熱交換器（62）で除湿された第１空気は、第２熱交換室（42）から第８開口（58）を通って第２流出路（46）へ流出する。その後、第１空気は、第１ファン側連通口（75）を通って給気ファン（25）へ吸い込まれ、給気吹出口（24）から供給空気（SA）として室内へ供給される。
【０１１１】
−実施形態４の効果−
本実施形態にかかる調湿装置（10）によると、ファン側側板（13）の長手方向に並んだ第１熱交換室（41）及び第２熱交換室（42）の連続した側面の一方に沿って第１流入路（43）及び第２流入路（45）が設けられ、他方に沿って第１流出路（44）及び第２流出路（46）が設けられているので、調湿装置（ケーシング（11））は、ファン側側板（13）に直交する方向に長い形状となる。
【０１１２】
また、調湿装置（10）の長手方向に上記ダクト（71,72,…）を配置でき、ファン側側板（13）の長手方向の調湿装置（10）の設置スペースを小さくすることができると共に、例えば、上記ファン側側板（13）に直交する第４側板（15）を壁際に設けることが可能となる。
【０１１３】
（実施形態５）
図１２は本発明の実施形態５を示し、第１及び第２熱交換器（61,62）の置き方が異なる点等が上記実施形態１と異なる。
【０１１４】
すなわち、上記第１及び第２熱交換器（61,62）は、上記ケーシング（11）の厚さ方向と垂直な方向へ空気が通過するように、縦置きに配置されている。
【０１１５】
また、上記第２空間（18）には、上記第１熱交換器（61）が収納された第１熱交換室（41）と、第２熱交換器（62）が収納された第２熱交換室（42）とが上記ファン側側板（13）の長手方向に並ぶように隣接して形成されている。すなわち、第２空間（18）の右側に第１熱交換室（41）が配置され、左側に第２熱交換室（42）が配置されている。
【０１１６】
そして、上記２つの熱交換室（61,62）の連続した側面の一方と上記第１側板（12）との間には、第１側板（12）に沿って延び且つケーシング（11）の厚さ方向に重畳して配置された空気の第１流入路（43）及び第２流入路（45）が設けられている。それに併せて、第２仕切板（32）には、４つの開口（51,52,55,56）が形成されている。
【０１１７】
また、上記２つの熱交換室（61,62）の連続した側面の他方と上記ファン側側板（13）との間には、ファン側側板（13）に沿って延び且つケーシング（11）の厚さ方向に重畳して配置された空気の第１流出路（44）及び第２流出路（46）とが設けられている。それに併せて、第３仕切板（33）には、４つの開口（53,54,57,58）が形成されている。
【０１１８】
上記第１流出路（44）は、第２ファン側連通口（76）を介して第１空間（17）と連通し、上記第２流出路（46）は、第１ファン側連通口（75）を介して第１空間（17）と連通している。
【０１１９】
−調湿装置の調湿動作−
本実施形態の調湿動作を除湿運転の第１動作についてのみ説明する。その他の動作については、上記実施形態１と同様に四方切換弁（64）とダンパとを切り換えればよいため、省略する。
【０１２０】
第１動作時において、冷媒回路（60）では、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【０１２１】
具体的に、圧縮機（63）から吐出された冷媒は、第１熱交換器（61）で放熱して凝縮し、その後に電動膨張弁（65）へ送られて減圧される。減圧された冷媒は、第２熱交換器（62）で吸熱して蒸発し、その後に圧縮機（63）へ吸入されて圧縮される。そして、圧縮された冷媒は、再び圧縮機（63）から吐出される。
【０１２２】
また、第１動作時には、第２開口（52）と第３開口（53）と第５開口（55）と第８開口（58）とが開口状態になり、第１開口（51）と第４開口（54）と第６開口（56）と第７開口（57）とが閉鎖状態になる。そして、図１２に示すように、第１熱交換器（61）へ第２空気としての室内空気（RA）が供給され、第２熱交換器（62）へ第１空気としての室外空気（OA）が供給される。
【０１２３】
具体的に、室内空気吸込口（22）より流入した第２空気は、第２流入路（45）から第５開口（55）を通って第１熱交換室（41）へ送り込まれる。第１熱交換室（41）では、第２空気が第１熱交換器（61）を第２仕切板（32）側から第３仕切板（33）側に向かって通過してゆく。第１熱交換器（61）では、外表面に担持された吸着剤が冷媒により加熱され、この吸着剤から水分が脱離する。吸着剤から脱離した水分は、第１熱交換器（61）を通過する第２空気に付与される。第１熱交換器（61）で水分を付与された第２空気は、第１熱交換室（41）から第３開口（53）を通って第１流出路（44）へ流出する。その後、第２空気は、第２ファン側連通口（76）を通って排気ファン（26）へ吸い込まれ、排気吹出口（23）から排出空気（EA）として室外へ排出される。
【０１２４】
一方、室外空気吸込口（21）より流入した第１空気は、第１流入路（43）から第２開口（52）を通って第２熱交換室（42）へ送り込まれる。第２熱交換室（42）では、第１空気が第２熱交換器（62）を第２仕切板（32）側から第３仕切板（33）側に向かって通過してゆく。第２熱交換器（62）では、その表面に担持された吸着剤に第１空気中の水分が吸着される。その際に生じる吸着熱は、冷媒が吸熱する。第２熱交換器（62）で除湿された第１空気は、第２熱交換室（42）から第８開口（58）を通って第２流出路（46）へ流出する。その後、第１空気は、第１ファン側連通口（75）を通って給気ファン（25）へ吸い込まれ、給気吹出口（24）から供給空気（SA）として室内へ供給される。
【０１２５】
本実施形態にかかる調湿装置（10）によると、図１２の奥行き方向の幅を小さくすることができる。
【０１２６】
（その他の実施形態）
なお、図１０に示す上記実施形態３の調湿装置（10）のように、ケーシング（11）の第１流入路（43）と第１流出路（44）とを天地逆転させ、且つ第２流入路（45）と第２流出路（46）と天地逆転させ、且つそれに伴って、上記第３仕切板（33）の４つの開口（51,52,53,54）及び第２仕切板（32）の４つの開口（55,56,57,58）も天地逆転させ、そして、底面板（81）において、給気ファン（25）の下側に給気吹出口（24）を形成し、且つ、第１流入路（43）の下側に室内空気吸込口（22）を形成するいわゆるカセット型にしてもよい。
【０１２７】
このとき、ケーシング（11）における第４側板（15）の室外空気吸込口（21）に室外空気吸込ダクト（71）を接続し、排気吹出口（23）に排気吹出ダクト（73）を接続すればよい。このことで、室内に連通するダクト（72,74）を設ける必要がないので、天井裏のスペースをさらに有効利用できる。
【０１２８】
一方、本願発明の調湿装置（10）を天井裏ではなく、床上に設置してもよいのは勿論のことである。
【産業上の利用可能性】
【０１２９】
以上説明したように、本発明は、冷凍サイクルを行って吸着剤の再生や冷却を行う調湿装置について有用である。
【図面の簡単な説明】
【０１３０】
【図１】調湿装置の斜視図である。
【図２】実施形態１における調湿装置の概略構成図である。
【図３】実施形態１における調湿装置の冷媒回路を示す配管系統図である。
【図４】除湿運転の第１動作における空気の流れを示す調湿装置の概略構成図である。
【図５】除湿運転の第２動作における空気の流れを示す調湿装置の概略構成図である。
【図６】加湿運転の第１動作における空気の流れを示す調湿装置の概略構成図である。
【図７】加湿運転の第２動作における空気の流れを示す調湿装置の概略構成図である。
【図８】第３仕切板を設けたときの図２相当図図である。
【図９】実施形態２における図２相当図である。
【図１０】実施形態３における図４相当図である。
【図１１】実施形態４における図４相当図である。
【図１２】実施形態５における図４相当図である。
【符号の説明】
【０１３１】
１０      調湿装置
１１      ケーシング
１２      第１側板
１３      第２側板（ファン側側板）
１７      第１空間
１８      第２空間
２１      室外空気吸込口（外気吸込口）
２２      室内空気吸込口（内気吸込口）
２３      排気吹出口（排気口）
２４      給気吹出口（給気口）
２５      給気ファン
２６      排気ファン
２７      吸込口
４１      第１熱交換室
４２      第２熱交換室
４３      第１流入路
４４      第１流出路
４５      第２流入路
４６      第２流出路
６０      冷媒回路
６１      第１熱交換器
６２      第２熱交換器
６３      圧縮機
６４      四方切換弁（反転機構）
６５      電動膨張弁（膨張機構）
【図１】
2005291506.tif 000003
【図２】
2005291506.tif 000004
【図３】
2005291506.tif 000005
【図４】
2005291506.tif 000006
【図５】
2005291506.tif 000007
【図６】
2005291506.tif 000008
【図７】
2005291506.tif 000009
【図８】
2005291506.tif 000010
【図９】
2005291506.tif 000011
【図１０】
2005291506.tif 000012
【図１１】
2005291506.tif 000013
【図１２】
2005291506.tif 000014